【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
レンズであって、
レンズボディと、
複数のスペクトル帯域において可視光を減衰させるように構成された光フィルタであって、前記複数のスペクトル帯域の各々は、スペクトル帯域幅と、最大吸収率と、前記スペクトル帯域幅の中間点に位置する中心波長と、前記スペクトル帯域幅内における積分吸収率ピーク面積とを伴う吸収率ピークを含み、前記スペクトル帯域幅は、前記吸収率ピークの前記最大吸収率の８０％における前記吸収率ピークの全幅に等しい、光フィルタと、
を備え、
前記光フィルタは、青色光吸収率ピークを含み、
前記青色光吸収率ピークの中心波長は、約４４５ｎｍから約４８０ｎｍまでの間であり、
前記青色光吸収率ピークの減衰係数は、約０．８以上で尚且つ１未満であり、
吸収率ピークの前記減衰係数は、前記スペクトル帯域幅内における前記積分吸収率ピーク面積を前記吸収率ピークの前記スペクトル帯域幅で割ることによって得られる、レンズ。
【請求項２】
請求項１に記載のレンズであって、
前記光フィルタは、前記レンズボディである、又は前記レンズボディに少なくとも部分的に組み込まれる、レンズ。
【請求項３】
請求項１に記載のレンズであって、
前記光フィルタは、前記レンズボディの少なくとも一部分を覆って配されるレンズコーティングに少なくとも部分的に組み込まれる、レンズ。
【請求項４】
請求項３に記載のレンズであって、
前記光フィルタは、干渉性コーティングを含む、レンズ。
【請求項５】
請求項１に記載のレンズであって、
前記光フィルタは、接着層、偏光層、フォトクロミック層、又は前記接着層、前記偏光層、及び前記フォトクロミック層の任意の組み合わせに少なくとも部分的に組み込まれる、レンズ。
【請求項６】
請求項１に記載のレンズであって、
前記複数のスペクトル帯域の各々における前記吸収率ピークの前記スペクトル帯域幅は、約２０ｎｍ以上である、レンズ。
【請求項７】
請求項１に記載のレンズであって、
前記複数の吸収率ピークの少なくとも１つの吸収率ピークの前記スペクトル帯域幅は、約３０ｎｍ以上である、レンズ。
【請求項８】
請求項１に記載のレンズであって、
前記複数のスペクトル帯域の各々における前記吸収率ピークの前記減衰係数は、約０．９以上である、レンズ。
【請求項９】
請求項１に記載のレンズであって、
前記複数のスペクトル帯域の各々は、既定の吸収率閾値を超える最大吸収率を有する強い吸収率ピークを含み、各強い吸収率ピークの前記減衰係数は、約０．８以上である、レンズ。
【請求項１０】
請求項９に記載のレンズであって、
各強い吸収率ピークの前記減衰係数は、約０．９以上である、レンズ。
【請求項１１】
レンズであって、
レンズボディと、
可視スペクトルの１つ又は２つ以上のフィルタをかけられた部分内において前記レンズによって透過される光の一部分を減衰させることによって、前記可視スペクトルの前記１つ又は２つ以上のフィルタをかけられた部分内において少なくとも部分的に前記レンズを透過した３０ｎｍ帯域幅の均一強度の光刺激の平均彩度値を増加させるように構成された光フィルタであって、前記彩度値は、ＣＩＥＬ＊Ｃ＊ｈ＊色空間のＣ＊属性である、光フィルタと、
を備え、
可視スペクトルの前記１つ又は２つ以上のフィルタをかけられた部分の少なくとも１つは、約４４０ｎｍから約４８０ｎｍまでのスペクトル範囲を含み、
３０ｎｍの帯域幅と前記スペクトル範囲内に中心波長とを有する均一強度の入力の結果として得られた出力が比較されたときは、前記平均彩度値の増加は、各光刺激の帯域幅内において前記光フィルタと同じ平均比率で均一に光を減衰させる中性フィルタと比較して、実質的に正常な視力を持つ人間によって知覚可能な増加を含み、且つ前記光フィルタと同じ平均比率で均一に光を減衰させる中性フィルタと比較された前記平均彩度値の増加は、約４４０ｎｍから約４８０ｎｍまでのスペクトル範囲内において約１５％以上である、レンズ。
【請求項１２】
アイウェアのためのレンズであって、
レンズボディと、
複数の有機染料を含む光フィルタであって、前記複数の有機染料の各々は、１つ又は２つ以上のスペクトル帯域において可視光を減衰させるように構成され、前記１つ又は２つ以上のスペクトル帯域の各々は、スペクトル帯域幅と、最大吸収率と、前記スペクトル帯域幅の中間点に位置する中心波長と、前記スペクトル帯域幅内における積分吸収率ピーク面積とを伴う吸収率ピークを含み、前記スペクトル帯域幅は、前記吸収率ピークの前記最大吸収率の８０％における前記吸収率ピークの全幅に等しい、光フィルタと、
を備え、
前記複数の有機染料は、約４４５ｎｍから約４８０ｎｍまでの間に中心波長がある青色光吸収率ピークを有する青色吸収有機染料を含み、
吸収率ピークの前記減衰係数は、前記スペクトル帯域幅内における前記積分吸収率ピー
ク面積を前記吸収率ピークの前記スペクトル帯域幅で割ることによって得られ、
前記青色吸収有機染料の装填は、前記青色光吸収率ピークの前記減衰係数が、約０．８以上であるように選択される、レンズ。
【請求項１３】
１つ又は２つ以上の物体と、背景とを有する光景を見ている人物によって着用されるように構成された、アイウェアのためのレンズであって、
レンズボディと、
複数のフィルタスペクトル帯域において可視光の一部分を減衰させるように構成された光フィルタであって、前記複数のフィルタスペクトル帯域の各々は、スペクトル帯域幅と、最大吸収率と、前記スペクトル帯域幅の中間点に位置する中心波長と、前記最大吸収率を大幅に下回る下端部分及び上端部分と、前記下端部分と前記上端部分との間に位置決めされ、前記最大吸収率及び前記最大吸収率に十分に近い領域を含む中間部分とを伴う吸収率ピークを含む、光フィルタと、
を備え、
少なくとも１つの吸収率ピークの位置は、前記１つ若しくは２つ以上の物体、又は前記背景が可視光を反射又は放射する少なくとも１つの彩度増強窓において彩度を増加させるように選択され、
前記複数のフィルタスペクトル帯域は、約４４０ｎｍから約４８０ｎｍまでの青色のスペクトル帯域を含み、
前記光フィルタは、前記青色のスペクトル帯域内において中心波長を有する青色光吸収率ピークを含み、
３０ｎｍの帯域幅と前記スペクトル範囲内に中心波長とを有する均一強度の入力の結果として得られた出力が比較されたときは、前記青色光吸収率ピークは、前記青色のスペクトル帯域での平均彩度値を、前記光フィルタと同じ平均比率で均一に光を減衰させる中性フィルタと比較して約１５％以上増加させる、レンズ。
【請求項１４】
請求項１から１０の何れか１項に記載のレンズであって、
前記青色光吸収率ピークの前記スペクトル帯域幅は、約２０ｎｍから約５０ｎｍまでの間である、レンズ。
【請求項１５】
請求項１から１０及び１４の何れか１項に記載のレンズであって、
前記青色光吸収率ピークの前記減衰係数は、約０．９以上で尚且つ１未満である、レンズ。
【請求項１６】
請求項１から１０、１４及び１５の何れか１項に記載のレンズであって、
前記光フィルタは、青色吸収有機染料を含む、レンズ。
【請求項１７】
請求項１から１０及び１４から１６の何れか１項に記載のレンズであって、
前記複数のスペクトル帯域の各々における前記吸収率ピークの減衰係数は、約０．８以上で尚且つ１未満である、レンズ。
【請求項１８】
請求項１１に記載のレンズであって、
前記レンズボディは、一つ又は二つ以上の有機染料が装填されたポリカーボネートを含む、レンズ。
【請求項１９】
請求項１１又は１８に記載のレンズであって、
前記光フィルタは、前記可視スペクトルの少なくとも第２のフィルタをかけられた部分内において少なくとも部分的に前記レンズを透過した３０ｎｍ帯域幅の均一強度の光刺激の平均彩度値を増加させるように構成され、且つ前記第２のフィルタをかけられた部分は、約６３０ｎｍから約６６０までのスペクトル範囲を含む、レンズ。
【請求項２０】
請求項１２に記載のレンズであって、
前記青色光吸収率ピークの前記中心波長は、約４７０ｎｍから約４８０ｎｍまでの間である、レンズ。
【請求項２１】
請求項１２または２０に記載のレンズであって、
前記複数の有機染料は、約５６０ｎｍから約５８０ｎｍまでの間に中心波長がある黄色光吸収率ピークを有する黄色吸収有機染料を含み、且つ前記黄色吸収有機染料の装填は、前記黄色光吸収率ピークの前記減衰係数が、約０．８５以上であるように選択される、レンズ。
【請求項２２】
請求項１３に記載のレンズであって、
前記光フィルタは、約４００ｎｍ未満の波長の可視光をほぼ完全に減衰させる吸収率プロフィールを備える、レンズ。
【請求項２３】
請求項１３又は２２に記載のレンズであって、
前記光フィルタは、スポーツ活動での用途用に設計される、レンズ。